(57)【要約】【課題】陰極線管の低電位部のリーク電流を加速的に短時間で正確に測定する、陰極線管のリーク電流検出方法を提供するものである。【解決手段】本発明に係る陰極線管のリーク電流検出方法は、ノッキング処理後の陰極線管のリーク電流検査工程において、電圧を供給する検査用ソケットを陰極線管に接続しない無負荷状態で、定常のフォーカス電圧印加時の前記検査用ソケット側の外部リーク電流を測定し、検査用ソケットを陰極線管に接続し、電子銃のフォーカス電極に定常電圧と該定常電圧より高いパルス電圧を印加し、パルス電圧の印加後の定常電圧の戻したときのトータルリーク電流と外部リーク電流との差分を測定して陰極線管のリーク電流を検出する。【選択図】  図２
2004192921.tif 000002
【特許請求の範囲】
【請求項１】
ノッキング処理後の陰極線管のリーク電流検査工程において、
電子銃のフォーカス電極に定常電圧と該定常電圧より高いパルス電圧を印加し、
前記パルス電圧の印加後の定常電圧に戻したときのリーク電流の挙動を測定して、陰極線管のリーク電流を検出する
ことを特徴とする陰極線管のリーク電流検出方法。
【請求項２】
ノッキング処理後の陰極線管のリーク電流検査工程において、
電圧を供給する検査用ソケットを陰極線管に接続しない無負荷状態で、定常のフォーカス電圧印加時の前記検査用ソケット側の外部リーク電流を測定し、
前記検査用ソケットを陰極線管に接続し、電子銃のフォーカス電極に定常電圧と該定常電圧より高いパルス電圧を印加し、
前記パルス電圧を印加した後のトータルリーク電流と前記外部リーク電流との差分を測定して陰極線管のリーク電流を検出する
ことを特徴とする陰極線管のリーク電流検出方法。
【請求項３】
前記パルス電圧は、前記定常電圧の１０％〜５０％高いパルス電圧である
ことを特徴とする請求項１記載の陰極線管のリーク電流検出方法。
【請求項４】
前記パルス電圧は、前記定常電圧の１０％〜５０％高いパルス電圧である
ことを特徴とする請求項２記載の陰極線管のリーク電流検出方法。
【発明の詳細な説明】
【０００１】
【発明の属する技術分野】
本発明は、陰極線管のコールドエミッション、いわゆるリーク電流を加速的に検出できる陰極線管のリーク電流検出方法に関する。
【０００２】
【従来の技術】
一般に、カラー陰極線管は耐電圧特性を向上させるためにノッキング処理を行っている。ノッキング処理は、カラー陰極線管の電子銃を構成する電極パーツ表面の微小突起及び異物を除去し、カラー陰極線管の実使用段階においての異常音、フォーカスボケ、明るさ変動などの画面異常を長期にわたり起こさないようにする目的が行われている。しかし、このノッキング処理だけでは画面異常を起こす要因を取り除くことが不十分である。そこで、カラー陰極線管の検査工程として、コールドエミッション（以下、リーク電流）の検出工程を設けていた。
【０００３】
図５は、カラー陰極線管に備えられた例えばユニポテンシャル型電子銃の例を示す。この電子銃２０は、赤、緑及び青に対応した３つのカソードＫ〔ＫＲ  ，ＫＧ  ，ＫＢ  〕に共通の第１グリッドＧ１  、第２グリッドＧ２  、第３グリッドＧ３  フォーカス電極となる第４グリッドＧ４  及び第５グリッドＧ５  が同軸上に配列して構成される。第３グリッドＧ３  と第５グリッドＧ５  は、接続線２１により互いに接続され例えば２０ｋＶ〜３０ｋＶの高圧（いわゆるアノード電圧）が供給される。第４グリッドＧ４  には例えば６．０ｋＶ〜８．５ｋＶ程度のダイナミックフォーカス電圧が供給される。この第３、第４及び第５のグリッドＧ３  、Ｇ４  及びＧ５  によりユニポテンシャル型の主電子レンズが形成される。第１グリッドＧ１  には例えば０Ｖ、第２グリッドＧ２  には例えば４００Ｖ〜９００Ｖ程度が夫々供給される。この電子銃２０では、カソードＫＲ  ，ＫＧ  ，ＫＢ  から出射した３つの電子ビームが主電子レンズの中心で交差した後、図示せざるも第５グリッドＧ５  の後段に配した４枚の偏向板からなる静電コンバーゼンス手段により蛍光面上でコンバーゼンスされる。
【０００４】
高圧（アノード電圧）は、ファンネル部に設けられた高圧供給用のいわゆるネックボタンから供給される。それ以外の低圧電圧、フォーカス電圧はステムピン２２側から接続線２３を介して供給される。リーク電流は、例えば、第２グリッドＧ２  、第１グリッドＧ１  とこれらの近傍に引き回された第４グリッドＧ４  の接続線２２との間で生じる。
【０００５】
従来、例えばユニポテンシャル型電子銃において、低電位部の第２グリッドＧ２  及び第１グリッドＧ１  のリーク電流検出方法としては、図６に示すように、第３グリッドＧ３  及び第５グリッドＧ５  にアノード電圧ＶＧ５を印加し、第４グリッドＧ４  に検出用ソケットを介して固定のフォーカス電圧ＶＧ４、例えば７ｋＶ程度の固定電圧を印加し、検出用ソケット側に接続された第１グリッドＧ１  及び第２グリッドＧ２  の接続端子と接地間に接続された電流検出器２６により、ソケット側の外部リーク電流ＩＬ１と電子銃側のリーク電流ＩＬ２とのトータルのリーク電流ＩＬ  （＝ＩＬ１＋ＩＬ２）を測定している。
他のリーク電流検出方法としては、第３グリッドＧ３  及び第５グリッドＧ５  に高圧電圧を印加すると共に、第４グリッドＧ４  に接地電位を印加した状態で、第３、第５のグリッドＧ３  、Ｇ５  及び第４グリッドＧ４  間のリーク電流並びに第３、第５のグリッドＧ３  、Ｇ５  及び第１、第２のグリッドＧ１  、Ｇ２  間のリーク電流を測定し、第３グリッドＧ３  及び第５グリッドＧ５  に高圧電圧を印加すると共に、第４グリッドＧ４  に中圧電圧を印加し状態で、第４グリッドＧ４  に接続された継線と第１、第２のグリッドＧ１  、Ｇ２  との間のリーク電流を測定する方法が提案されている（特許文献１参照）。
また、他のリーク電流検出方法として、陰極線管の高圧電極と低圧電極の間に定格電圧の最大１．０〜２．０倍のパルスまたは脈流波電圧を繰り返し印加して陰極線管のネック内側に発生したコールドエミッション（放電の発光）を受光素子で検出する方法が提案されている（特許文献２参照）。
【０００６】
【特許文献１】
特開平７−８５７９５号公報（第２頁−３頁、第１図）
【特許文献２】
特開平５−２９０７３９号公報（第２頁、第１図）
【０００７】
【発明が解決しようとする課題】
ところで、生産工程において、カラー陰極線管のリーク電流を短時間で検出するには、例えばアノード電圧の定格を５％増加して検出の感度を上げている。しかし、持続的に定格以上の電圧を設定しているため、ネックガラスに負荷が掛かり絶縁破壊を引き起こしていた。また、カラー陰極線管のリーク電流測定では、測定する雰囲気内の湿度が上昇すると外部リーク電流が変動して正確な判定ができない問題があった。この外部リーク電流は、陰極線管に接続される検出用ソケット（ステムソケット）側で生じるリーク電流である。
【０００８】
事実、この外部リーク電流は、例えば第４グリッドＧ４  に中圧電位のフォーカス電圧を印加した場合ステムソケットにおいて必ず数十ｎＡ程度のリーク電流を発生させる。更に外部リーク電流は配線の引き回し、塵埃、湿度の影響等でステムソケットのリーク電流に加え、最大数百ｎＡに達するため、真値の外部リーク電流を判別することができない問題があった。特許文献１、２においては、この外部リーク電流に関する考慮はなされていない。
【０００９】
更に、低電位部の第１グリッド又は第２グリッドのリーク電流検出方法では、定格以上の電圧を長時間印加することができなかった。長時間に渡る定格以上の電圧印加は、ステムピン間の放電によりガラス表面のカーボナイズやアウターフィレット（ステムピンの基部に対応したステムガラスの盛り上がり部分）の欠け等の問題を発生させていた。これらの問題が起きないようカラー陰極線管の生産工程では、一般的にステムベースにシリコーンを塗布することで、ステムピン間の耐電圧を確保させている。しかし、このシリコーンが完全に硬化するためには数十時間以上を必要としており、実際の量産ラインでは、シリコーンが硬化する以前に測定を行っているのが実状であった。
【００１０】
上述した図６に示す陰極線管のリーク電流検出方法では、ソケット側の外部リーク電流ＩＬ１と電子銃側の第１、第２のグリッドＧ１  、Ｇ２  のリーク電流ＩＬ２とのトータルリーク電流ＩＬ  （＝ＩＬ１＋ＩＬ２）を測定して陰極線管のリーク電流を検出するようにしている。しかし、量産ラインの自動機では、稼働部、検出回路において配線の引回し及びステムソケットにおける外部リーク電流ＩＬ１が考慮されておらず、且つ湿度等における外的環境にも大きく左右され、リーク電流の真値を見いだすことが困難であった。
【００１１】
本発明は、上述の点に鑑み、陰極線管の低電位部のリーク電流を加速的に短時間で正確に測定する、陰極線管のリーク電流検出方法を提供するものである。
【００１２】
【課題を解決するための手段】
本発明に係る陰極線管のリーク電流検出方法は、ノッキング処理後の陰極線管のリーク電流検査工程において、電子銃のフォーカス電極に定常電圧と該定常電圧より高いパルス電圧を印加し、パルス電圧の印加後の定常電圧の戻したときのリーク電流の挙動を測定して、陰極線管のリーク電流を検出する。
【００１３】
フォーカス電圧を定常電圧からパルス電圧に変化したとき、それに伴ってトータルリーク電流は上昇する。次にフォーカス電圧を定常電圧に戻すと、戻した直後から所要時間までのトータルリーク電流の挙動を見ると、正常品の陰極線管の場合には、トータルリーク電流がパルス電圧印加時のリーク電流より下がる。異常品の陰極線管の場合には、トータルリーク電流が下がらず、パルス電圧印加時のリーク電流を持続し、あるいは上昇する。このパルス電圧印加後の定常電圧に戻したときのトータルリーク電流の挙動を測定することにより、リーク電流の検出ができる。
【００１４】
本発明に係る陰極線管のリーク電流検出方法は、ノッキング処理後の陰極線管のリーク電流検査工程において、電圧を供給する検査用ソケットを陰極線管に接続しない無負荷状態で、定常のフォーカス電圧印加時の前記検査用ソケット側の外部リーク電流を測定し、検査用ソケットを陰極線管に接続し、電子銃のフォーカス電極に定常電圧と該定常電圧より高いパルス電圧を印加し、パルス電圧の印加後の定常電圧の戻したときのトータルリーク電流と外部リーク電流との差分を測定して陰極線管のリーク電流を検出する。
【００１５】
フォーカス電圧を定常電圧からパルス電圧に変化したとき、それに伴ってトータルリーク電流は上昇する。次にフォーカス電圧を定常電圧に戻すと、戻した直後から所要時間までのトータルリーク電流の挙動を見ると、正常品の陰極線管の場合には、トータルリーク電流がパルス電圧印加時のリーク電流より下がる。異常品の陰極線管の場合には、トータルリーク電流が下がらず、パルス電圧印加時のリーク電流を持続し、あるいは上昇する。このパルス電圧の印加後の定常電圧の戻したときのトータルリーク電流と外部リーク電流との差分を測定することにより、陰極線管のリーク電流が検出される。
【００１６】
【発明の実施の形態】
以下、図面を参照して本発明の実施の形態を説明する。
【００１７】
図１は、本発明に係るカラー陰極線管のリーク電流検出方法の一実施の形態を示す。同図は、ユニポテンシャル型電子銃を備えたカラー陰極線管に適用した場合であり、その電子銃部分の概略構成を示す。
本実施の形態に係るユニポテンシャル型電子銃１は、前述と同様に、赤、緑及び青に対応した３つのカソードＫ〔ＫＲ  ，ＫＧ  ，ＫＢ  〕に共通の第１グリッドＧ１  、第２グリッドＧ２  、第３グリッドＧ３  フォーカス電極となる第４グリッドＧ４  及び第５グリッドＧ５  が同軸上に配列しされて構成される。第３グリッドＧ３  と第５グリッドＧ５  は接続線２により互いに接続される。実使用状態においては、例えば、第３グリッドＧ３  及び第５グリッドＧ５  にはアノードボタンから例えば２０ｋＶ〜３０ｋＶ程度の高電圧（いわゆるアノード電圧）が供給される。第４グリッドＧ４  にはステムピンから例えば６．０ｋＶ〜８．５ｋＶ程度のダイナミックフォーカス電圧が供給される。この第３、第４及び第５のグリッドＧ３  、Ｇ４  及びＧ５  によりユニポテンシャル型の主電子レンズが形成される。第１グリッドＧ１  にはステムピンから例えば０Ｖ、第２グリッドＧ２  にはステムピンから例えば４００Ｖ〜９００Ｖ程度が夫々供給される。この電子銃２０では、カソードＫＲ  ，ＫＧ  ，ＫＢ  から出射した３つの電子ビームが主電子レンズの中心で交差した後、図示せざるも第５グリッドＧ５  の後段に配した４枚の偏向板からなる静電コンバーゼンス手段により蛍光面上でコンバーゼンスされる。
【００１８】
図１において、破線３を境に右側は電子銃１を備えたカラー陰極線管４であり、左側は電子銃１にリーク電流検出用の所要の電圧を供給する検出用ソケット（いわゆるステムソケット）、検出回路等を含むリーク電流自動検出装置５である。破線３の線上の点７、８及び９は、第１グリッドＧ１  に接続されたステムピン、第２グリッドＧ２  に接続されたステムピン及び第４グリッドＧ４  に接続されたステムピンに対応する。
【００１９】
本実施の形態に係るカラー陰極線管４のリーク電流検出は、次のように行う。第３グリッドＧ３  第５グリッドＧ５  には実使用時のアノード電圧ＶＧ５が印加される。第１グリッドＧ１  及び第２グリッドＧ２  には検出用ソケットを介して接地電位が印加される。リーク電流自動検出装置５側において、第１グリッドＧ１  及び第２グリッドＧ２  の接続中点と接地電位との間に電流計６が設けられる。一方、第４グリッドＧ４  には、検出用ソケットを介して後述する実使用電圧である定常のフォーカス電圧と、この定常電圧より高いパルス状のキック電圧（以下、パルス電圧という）を含む検出用フォーカス電圧ＶＧ４が印加されるようになす。本例では  検出用フォーカス電圧ＶＧ４の定常電圧を７ｋＶとし、パルス電圧を７ｋＶより２０％高い８．４ｋＶでパルス幅が５００ｍｓであるパルス電圧としている。検出用フォーカス電圧を供給する電源の負端子は接地される。なお、このパルス電圧は、例えば定常のフォーカス電圧より１０％〜５０％、好ましくは２０％〜３０％高くしたパルス電圧とする。パルス電圧がフォーカス電圧の１０％増より小さくする。またはフォーカス電圧の５０％増を越えると、好ましくない理由は次の通りである。
【００２０】
セットラインでフォーカス調整は、人手でフォーカスボリュームを左右に回動させる。この際、瞬時と言えども調整範囲の最大電圧が陰極線管に加わる可能性が充分ある。セットのフォーカス電圧は、陰極線管のバラツキを吸収するため、例えば８ＫＶ±２ＫＶ程度の調整範囲を有する。故に、フォーカス電圧調整時に実使用電圧以上の印加が予測される。
セット調整時に加わる最大印加電圧は、通常、実使用電圧の１５％から２０％程度高い電圧である。従って、パルス電圧が実使用のフォーカス電圧の１０％増より低いとセットラインでリーグ電流が流れてしまう陰極線管が発生する。
【００２１】
陰極線管は、電子銃のステムピンから各電極パーツに所定の電圧を印加する。このステムピンから印加する最大の電圧はフォーカス電圧である。通常、大気中であるならば０．６〜１ＫＶ／ｍｍでリークが開始すると言われている。一般的な電子銃のフォーカスピンとそれに隣接するステムピンの距離は、４ｍｍ程度である。よって、リークが起こらないよう例えばシリコンを塗布し、リークを防いでいる。
フォーカスピンとそれに隣接するステムピン間でリークを防ぐため、通常シリコンを塗布しているが、パルス電圧が実使用のフォーカス電圧の５０％増より高いと例えば１２ＫＶ以上の電圧が印加されるとシリコンが塗布されていてもステムピン間リークを起こす可能性が充分予測できる。又、各ステムピンに外部から電圧を供給するためステムソケットが用いられるが、このソケットのピン間耐圧は、実験結果から１２ＫＶ以上印加するとリークが発生する。
【００２２】
先ず、リーク電流自動検出装置５において、その検出用ソケットをカラー陰極線管４のステムピンに接続する前、いわゆる無電荷の状態で、フォーカス電圧の定常電圧１１、即ち７ｋＶを印加する（図２Ｂ参照）。このとき電流計に流れる外部リーク電流ＩＬ１を測定する（図２Ａ参照）。次に、リーク電流自動検出装置５の検出用ソケットをカラー陰極線管４のステムピンに接続し、電子銃１の第４グリットＧ４  に図２Ｂに示すような定常電圧１１（７ｋＶ）とパルス電圧１２を含む検出用フォーカス電圧１３を印加する。第１グリットＧ１  及び第２グリットＧ２  には接地電圧が印加される。
【００２３】
第４グリッドＧ４  にこのような定常電圧１１とパルス電圧１２を含む検査用フォーカス電圧ＶＧ４を印加することにより、外部リーク電流ＩＬ１と電子銃１側のリーク電流ＩＬ２が加算されたトータルリーク電流ＩＬ  測定する。そして、パルス電流１２を印加し、定常電圧１１に戻して所要時間経過するまでのトータルリーク電流ＩＬ  と外部リーク電流ＩＬ１との差分ＩＬ２（＝ＩＬ  −ＩＬ１）を検出してカラー陰極線管４側で発生しているリーク電流ＩＬ２を検出し、カラー陰極線管の正常品と異常品を選別する。
【００２４】
異常品の場合、初期のパルス電圧１１の印加でリーク電流が許容できる基準値ＩＬ  ０  を越える「なだれ現象」を引き起し、その後、定常電圧１２に戻してもこの異常放電は持続するため、図２Ａの破線１５に示すリーク電流を呈し、異常品として判断できる。図３Ａは、異常品のリーク電流のヒステリシスループを示す。この特性は、一般的な放電現象及び実験結果からも証明されている。
正常品の場合、初期のパルス電圧１１の印加でリーク電流が許容できる基準値ＩＬ  ０  を越える異常放電は起こらず、その後、定常電圧１２に戻したときにリーク電流はパルス電圧１１におけるリーク電流より下がり、図２の実線１６に示すリーク電流を呈し、正常品として判断できる。図３Ｂは、正常品のリーク電流のヒステリシスループを示す。
【００２５】
本実施の形態によれば、負荷が無い状態でパルス電圧印加時の外部リーク電流ＩＬ１を読み込み、負荷有りのリーク電流値ＩＬ  から減算した値で合否の判定を行うことにより配線の引き回し、検出用ソケット（ステムソケット）の固定外部リーク電流分、湿度の変化による変動外部リークがキャンセルでき、微小リーク電流ＩＬ２を正確に判定することができる。
【００２６】
カラー陰極線管の電子銃の量産ラインで短時間にリーク電流を検出するため、実使用電圧より高い電圧をパルス的に印加することにより、外部放電によるステムピン間のアウターフィレット欠け、ステムベース（ガラス）表面のカーボナイズによるステムピン間リークの問題を解決することができる。
【００２７】
外部リーク電流の固定分と変動分をキャンセルすることでブラウン管１本毎に日間変動及び季節変動に正確に対応できる。一般的に目視で異常放電が確認できるリーク電流は５０ｎＡと微小であり、この微小電流を短時間で正確に検出しようとするとこの外部リークは無視できなかった。今回、この外部リークをトータルリーク電流値から減算することにより微小電流を正確に判定できるようになった。
【００２８】
本発明に係る陰極線管のリーク電流の検出方法は、バイポテンシャル型電子銃を備えたカラー陰極線管にも適用できる。図４は、その実施の形態を示す。３ガン型のバイポテンシャル型電子銃１８は、赤、緑及び青に対応した３つのカソードＫ（図４では１つのカソードを代表して示す）、第１グリッドＧ１  〜第６Ｇ６  を有し、第４グリッドＧ４  及び第６グリッドＧ６  に高電圧（アノード電圧）が供給され、第５グリッドＧ５  及び第３グリッドＧ３  にフォーカス電圧が供給され、第１グリッドＧ１  、第２グリッドＧ２  に所定の低電圧が印加される。
リーク電流（コールドエミッション）の検出に際しては、前述と同様にリーク電流検出装置の検出用ソケットを陰極線管のステムピンに挿入し、第１グリッドＧ１  及び第２グリッドＧ２  を接地し、第５グリッドＧ５  及び第３グリッドＧ３  に図２の検出用フォーカス電圧１３を印加し、トータルリーク電流ＩＬ  （＝ＩＬ１＋ＩＬ２）測定する。また、無負荷時の検出用ソケット側に定常電圧１１を印加して外部リーク電流ＩＬ１を測定する。そして、トータルリーク電流ＩＬ  と外部リーク電流ＩＬ１との差分ＩＬ２を検出して陰極線管の正常品と異常品を選定する。
本実施の形態においても、前述したユニポテンシャル型電子銃を備えた陰極線管の場合と同様の効果を奏することができる。
【００２９】
連続して複数のパルス電圧１１を印加するようにしても良い。複数のパルス電圧１１を印加するときは、正常品と異常品の判別がよりはっきりと確認することができ、リーク電流を加速的に短時間で検出することができる。
【００３０】
上例では、検出用ソケットに陰極線管を接続しない無負荷時の外部リーク電流ＩＬ１を測定し、検出用ソケットに陰極線管を接続した有負荷時のトータルリーク電流ＩＬ  を測定し、その差分ＩＬ２（＝ＩＬ  −ＩＬ１）検出するようにしたが、その他、パルス電圧１１を印加し定常電圧１２に戻したあとのリーク電流の挙動、つまり、図２の実線１６あるいは破線１５を検知することにより、同様にリーク電流を加速的に短時間で検出することができる。
【００３１】
【発明の効果】
本発明の陰極線管のリーク電流検出方法によれば、非常に短いパルス中のパルス電圧を第４グリッドに印加することにより、実動状態より高い電圧印加が可能になり、精度が良く短時間且つ加速的なリーク電流の検出を可能とする。また、キック電圧印加以降、実動電圧に戻しても既知の放電現象により、異常品は、ほぼそのままのリーク電流値で維持する特性を持っており、その時点においても異常検出が可能である。更に、パルス電圧が数百ｍｓ程度の短い時間ならステムピン間の異常放電によるカーボナイズ及びアウターフィレット欠けを防止できる。
【００３２】
負荷が無い状態で初期の外部リーク電流を測定しておくことにより、陰極線管が本来持っているリーク電流の測定が可能になる。陰極線管が持っているリーク電流とは数十ｎＡという微小電流であり、外部リーク電流は無視できない。この外部リーク電流は、数十ｎＡ〜数百ｎＡという陰極線管が持っているリーク電流と同等な値であり、湿度、塵埃、配線の引き回しに大きく左右され正確な数値を見極めるのが困難であったが、トータルリーク電流から初期に測定した外部リーク電流を減算することにより数十ｎＡという微小電流を高精度に測定することができる。
【００３３】
パルス電圧を実行状態のフォーカス電圧より１０〜５０％高圧電圧にすることにより、測定時に不要なリーク電流が流れず、正確にコールドエミッション、いわゆるリーク電流を検出することができる。
【図面の簡単な説明】
【図１】本発明に係る陰極線管のリーク電流検出方法の一実施の形態を示す構成図である。
【図２】Ａ  本実施の形態で測定されるリーク電流の波形図である。
Ｂ  本実施の形態で印加する検出用フォーカス電圧の波形図である。
【図３】Ａ  本実施の形態での陰極線管の異常品のリーク電流−フォーカス電圧特性図である。
Ｂ  本実施の形態での陰極線管の正常品のリーク電流−フォーカス電圧特性図である。
【図４】本発明に係るバイポテンシャル型電子銃を備えた陰極線管のリーク電流検出方法の他の実施の形態を示す構成図である。
【図５】ユニポテンシャル型電子銃を備えた陰極線管の要部の構成図である。
【図６】従来の陰極線管のリーク電流の検出方法の一例を示す構成図である。
【符号の説明】
１・・ユニポテンシャル型電子銃、２・・接続線、３・・破線、４・・カラー陰極線管、５・・リーク電流自動検出装置、６・・電流計、７，８，９・・点、１１・・定常電圧、１２・・パルス電圧、１３・・検出用フォーカス電圧、１５・・破線、１６・・実線、１８・・バイポテンシャル型電子銃、２０・・電子銃、２１，２３・・接続線、２２・・ステムピン、２６・・電流検出器
【図１】
2004192921.tif 000003
【図２】
2004192921.tif 000004
【図３】
2004192921.tif 000005
【図４】
2004192921.tif 000006
【図５】
2004192921.tif 000007
【図６】
2004192921.tif 000008